(57)【要約】【課題】放電灯の黒化を抑制すると共に、電極間距離が広がることを抑制し、放電灯を駆動することができる光源装置、放電灯の駆動方法およびプロジェクターを提供すること。【解決手段】光源装置１は、放電媒体が封入された空洞部内で対向して配置される１対の電極６１０，７１０を有する放電灯５００と、１対の電極６１０，７１０に駆動電圧を印加する放電灯駆動装置２００と、１対の電極間電圧を検出する電圧検出部と、を有し、放電灯駆動装置２００は、１対の電極間電圧が下限値になると、周波数を増大させてなる第１の交流電圧を１対の電極６１０，７１０に印加し、１対の電極間電圧が上限値になると、周波数を減少させてなる第２の交流電圧を１対の電極６１０，７１０に印加するよう構成されている。【選択図】図１
2013062233.tif 000002
【特許請求の範囲】
【請求項１】
放電媒体が封入された空洞部内で対向して配置された第１の電極及び第２の電極を有す
る放電灯と、
前記第１の電極及び前記第２の電極に駆動電圧を供給する駆動装置と、を備え、
前記第１の電極及び前記第２の電極を介して前記放電媒体に前記駆動電圧を印加するこ
とにより前記放電媒体は発光し、
前記駆動装置は、前記第１の電極と前記第２の電極との電極間電圧が第１の値から前記
第１の値よりも大きい第２の値に変化する第１の期間において、第１の周波数で、前記第
１の電極の電位を前記第２の電極の電位に対して相対的に変化させ、
前記第１の電極と前記第２の電極との電極間電圧が前記第２の値から前記第２の値より
も小さい第３の値に変化する第２の期間において、第２の周波数で、前記第１の電極の電
位を前記第２の電極の電位に対して相対的に変化させ、
前記第１の周波数は１ｋＨｚよりも大であり、
前記第２の周波数は１ｋＨｚ又は１ｋＨｚより小であること、
を特徴とする光源装置。
【請求項２】
前記駆動装置は、前記第１の期間において、前記第１の電極と前記第２の電極との間に
流れる第１の交流電流を減少させることを特徴とする請求項１に記載の光源装置。
【請求項３】
前記駆動装置は、前記第２の期間において、前記第１の電極と前記第２の電極との間に
流れる第２の交流電流を増大させることを特徴とする請求項１または２に記載の光源装置
。
【請求項４】
前記駆動装置は、前記第１の期間と前記第２の期間とを交互に繰り返すことを特徴とす
る請求項１乃至３のいずれか一項に記載の光源装置。
【請求項５】
放電媒体が封入された空洞部内で対向して配置された第１の電極及び第２の電極を有す
る放電灯の駆動方法であって、
前記第１の電極及び前記第２の電極を介して前記放電媒体に駆動電圧を印加することに
より前記放電媒体は発光し、
前記第１の電極と前記第２の電極との電極間電圧が第１の値から前記第１の値よりも大
きい第２の値に変化する第１の期間において、第１の周波数で、前記第１の電極の電位を
前記第２の電極の電位に対して相対的に変化させ、
前記第１の電極と前記第２の電極との電極間電圧が前記第２の値から前記第２の値より
も小さい第３の値に変化する第２の期間において、第２の周波数で、前記第１の電極の電
位を前記第２の電極の電位に対して相対的に変化させ、
前記第１の周波数は１ｋＨｚよりも大であり、
前記第２の周波数は１ｋＨｚ又は１ｋＨｚより小であること、
を特徴とする放電灯の駆動方法。
【請求項６】
光源装置と、
前記光源装置から射出された光を画像情報に基づいて変調する変調装置と、
前記変調装置により変調された光を投射する投射装置と、を有し、
前記光源装置は、放電媒体が封入された空洞部内で対向して配置された第１の電極及び
第２の電極を有する放電灯と、
前記第１の電極及び前記第２の電極に駆動電圧を供給する駆動装置と、を備え、
前記第１の電極及び前記第２の電極を介して前記放電媒体に前記駆動電圧を印加するこ
とにより前記放電媒体は発光し、
前記駆動装置は、前記第１の電極と前記第２の電極との電極間電圧が第１の値から前記
第１の値よりも大きい第２の値に変化する第１の期間において、第１の周波数で、前記第
１の電極の電位を前記第２の電極の電位に対して相対的に変化させ、
前記第１の電極と前記第２の電極との電極間電圧が前記第２の値から前記第２の値より
も小さい第３の値に変化する第２の期間において、第２の周波数で、前記第１の電極の電
位を前記第２の電極の電位に対して相対的に変化させ、
前記第１の周波数は１ｋＨｚよりも大であり、
前記第２の周波数は１ｋＨｚ又は１ｋＨｚより小であること、
を特徴とするプロジェクター。
【発明の詳細な説明】
【技術分野】
【０００１】
本発明は、光源装置、放電灯の駆動方法およびプロジェクターに関するものである。
【背景技術】
【０００２】
プロジェクターの光源として、高圧水銀ランプやメタルハライドランプ等の放電灯（放
電ランプ）が使用されている。
このような放電灯は、１対の電極間に交流電流を駆動電流として供給してアーク放電を
生じさせ、放電灯内に封じ込められた放電媒体を発光させている。放電灯が点灯している
際は、１対の電極間に生じたアーク放電によって、その電極が高温になっているので、電
極が溶融し、電極間が広がってくる。
【０００３】
プロジェクターの用途では、光の利用効率を向上させるために、電極間が狭い状態を維
持し、発光の大きさを小さくすることが好ましい。点灯中に電極間が広がることは、光の
利用効率を低下させることになり、好ましくない。また、電極間の変化は、その電極間に
おけるインピーダンスを変化させる。このため、点灯初期では効率良く放電灯を点灯する
ことができていても、時間が経過すると、インピーダンス不整合を生じる。その結果、無
効電力が増加し、効率が低下するという問題がある。
【０００４】
例えば、特許文献１に記載の駆動方法では、放電灯の１対の電極間電圧を検出し、その
電極間電圧が下限値よりも小さくなると、交流電流の周波数を低くし、１対の電極の先端
部に形成された突起を溶融させ、電極間距離を増大させて、電極間電圧を増大させる。
【０００５】
また、電極間電圧が上限値よりも大きくなると、交流電流の周波数を高くし、１対の電
極の先端部に形成された突起を成長させ、電極間距離を減少させて、電極間電圧を減少さ
せる。
しかしながら、特許文献１に記載の駆動方法では、交流電流の周波数は、最大でも４０
０Ｈｚであり、放電灯本体の黒化や失透等が生じ、放電灯の寿命が低下するおそれがある
。
【０００６】
加えて、１対の電極の先端部に形成された突起を成長させるには、交流電流の周波数を
１ｋＨｚ以下の低い周波数に設定することが望ましいが、このような低い周波数の交流電
流を１対の電極に供給すると、放電灯本体がより黒化し易い。
【先行技術文献】
【特許文献】
【０００７】
【特許文献１】特開２００４−１７２０８６号公報
【発明の概要】
【発明が解決しようとする課題】
【０００８】
本発明の目的は、放電灯の黒化を抑制すると共に、電極間距離が広がることを抑制して
、放電灯を駆動することができる光源装置、放電灯の駆動方法およびプロジェクターを提
供することにある。
【課題を解決するための手段】
【０００９】
このような目的は、下記の本発明により達成される。
本発明の光源装置は、放電媒体が封入された空洞部内で対向して配置された第１の電極
及び第２の電極を有する放電灯と、前記第１の電極及び前記第２の電極に駆動電圧を供給
する駆動装置と、を備え、前記第１の電極及び前記第２の電極を介して前記放電媒体に前
記駆動電圧を印加することにより前記放電媒体は発光し、前記駆動装置は、前記第１の電
極と前記第２の電極との電極間電圧が第１の値から前記第１の値よりも大きい第２の値に
変化する第１の期間において、第１の周波数で、前記第１の電極の電位を前記第２の電極
の電位に対して相対的に変化させ、前記第１の電極と前記第２の電極との電極間電圧が前
記第２の値から前記第２の値よりも小さい第３の値に変化する第２の期間において、第２
の周波数で、前記第１の電極の電位を前記第２の電極の電位に対して相対的に変化させ、
前記第１の周波数は１ｋＨｚよりも大であり、前記第２の周波数は１ｋＨｚ又は１ｋＨｚ
より小であること、を特徴とする。
【００１０】
この発明によれば、放電灯の第１の電極と第２の電極との電極間電圧が第１の値から第
２の値に上昇する第１の期間では、１ｋＨｚよりも大きい第１の周波数で電極間に駆動電
圧が印加され交流電流が流れる。つまり、第１の期間では、第２の期間に比べて交流電圧
（交流電流）の周波数が増大するので、放電灯の黒化を抑制することができる。また、第
１の期間の前に黒化した放電灯のその黒化を回復させることができる。但し、第１の期間
では、その第１の期間の前において１対の電極の先端部に形成された突起が消耗し、これ
により電極間距離が広がってゆく。換言すれば、駆動装置が１対の電極間に一定の電力を
供給する場合、第１の期間において電極間距離が広がることによって電極間電圧は上昇す
る。電極間電圧の上昇に対応して放電灯の駆動周波数を大きくすれば、放電灯の黒化をよ
り抑制することができる。
【００１１】
一方、放電灯の第１の電極と第２の電極との電極間電圧が第２の値から第３の値に下降
する第２の期間では、１ｋＨｚ又は１ｋＨｚよりも小さい第２の周波数で電極間に駆動電
圧が印加され交流電流が流れる。第２の期間では、第１の期間に比べて電極温度の変動が
大きくなり、放電によって溶融した電極の一部が再び凝固して１対の電極の先端部に突起
が形成され、その突起が成長する。これにより、第１の期間において広がった電極間距離
を狭くすることができる。但し、この第２の期間では、放電灯が黒化するおそれがある。
したがって、例えば、第１の期間と第２の期間とを組み合わせることにより、放電灯の
黒化を抑制することと、電極間距離が広がることを抑制することとを実現して、放電灯を
駆動することができる。ゆえに、放電灯の発光寿命が長い光源装置を提供することができ
る。
【００１２】
本発明の光源装置では、前記駆動装置は、前記第１の期間において、前記第１の電極と
前記第２の電極との間に流れる第１の交流電流を減少させることが好ましい。
これにより、駆動装置から１対の電極間に一定の電力を供給することができるので、第
１の期間において光量の変動を抑制することができる。
【００１３】
本発明の光源装置では、前記駆動装置は、前記第２の期間において、前記第１の電極と
前記第２の電極との間に流れる第２の交流電流を増大させることが好ましい。
これにより、駆動装置から１対の電極間に一定の電力を供給することができるので、第
２の期間において光量の変動を抑制することができる。
【００１４】
本発明の光源装置では、前記駆動装置は、前記第１の期間と前記第２の期間とを交互に
繰り返すことが好ましい。
これにより、より確実に、放電灯の黒化を抑制しつつ、電極間距離が広がることを抑制
することができる。
【００１５】
本発明の放電灯の駆動方法は、放電媒体が封入された空洞部内で対向して配置された第
１の電極及び第２の電極を有する放電灯の駆動方法であって、前記第１の電極及び前記第
２の電極を介して前記放電媒体に駆動電圧を印加することにより前記放電媒体は発光し、
前記第１の電極と前記第２の電極との電極間電圧が第１の値から前記第１の値よりも大き
い第２の値に変化する第１の期間において、第１の周波数で、前記第１の電極の電位を前
記第２の電極の電位に対して相対的に変化させ、前記第１の電極と前記第２の電極との電
極間電圧が前記第２の値から前記第２の値よりも小さい第３の値に変化する第２の期間に
おいて、第２の周波数で、前記第１の電極の電位を前記第２の電極の電位に対して相対的
に変化させ、前記第１の周波数は１ｋＨｚよりも大であり、前記第２の周波数は１ｋＨｚ
又は１ｋＨｚより小であること、を特徴とする。
これにより、放電灯の黒化を抑制し、電極間距離が広がることを抑制して、放電灯を駆
動することができる。つまり、長い発光寿命が得られる放電灯の駆動方法を提供すること
ができる。
【００１６】
本発明のプロジェクターは、光源装置と、前記光源装置から射出された光を画像情報に
基づいて変調する変調装置と、前記変調装置により変調された光を投射する投射装置と、
を有し、前記光源装置は、放電媒体が封入された空洞部内で対向して配置された第１の電
極及び第２の電極を有する放電灯と、前記第１の電極及び前記第２の電極に駆動電圧を供
給する駆動装置と、を備え、前記第１の電極及び前記第２の電極を介して前記放電媒体に
前記駆動電圧を印加することにより前記放電媒体は発光し、前記駆動装置は、前記第１の
電極と前記第２の電極との電極間電圧が第１の値から前記第１の値よりも大きい第２の値
に変化する第１の期間において、第１の周波数で、前記第１の電極の電位を前記第２の電
極の電位に対して相対的に変化させ、前記第１の電極と前記第２の電極との電極間電圧が
前記第２の値から前記第２の値よりも小さい第３の値に変化する第２の期間において、第
２の周波数で、前記第１の電極の電位を前記第２の電極の電位に対して相対的に変化させ
、前記第１の周波数は１ｋＨｚよりも大であり、前記第２の周波数は１ｋＨｚ又は１ｋＨ
ｚより小であること、を特徴とする。
これにより、光源装置の放電灯の黒化が抑制される共に、電極間距離が広がることが抑
制される。これによって、消費電力を低減でき、また、安定した良好な画像を表示するこ
とが可能なプロジェクターを提供することができる。
【図面の簡単な説明】
【００１７】
【図１】本発明の光源装置の実施形態を示す断面図（ブロック図も含まれる）である。
【図２】図１に示す光源装置の放電灯を示す断面図である。
【図３】図１に示す光源装置を示すブロック図である。
【図４】図１に示す光源装置の駆動電流を示す図である。
【図５】図１に示す光源装置の電極間電圧の絶対値を示す図である。
【図６】図１に示す光源装置の制御動作を示すフローチャートである。
【図７】本発明のプロジェクターの実施形態を摸式的に示す図である。
【発明を実施するための形態】
【００１８】
以下、本発明の光源装置、放電灯の駆動方法およびプロジェクターを添付図面に示す好
適な実施形態に基づいて詳細に説明する。
＜光源装置＞
図１は本発明の光源装置の実施形態を示す断面図（ブロック図も含まれる）、図２は図
１に示す光源装置の放電灯を示す断面図、図３は図１に示す光源装置を示すブロック図、
図４は図１に示す光源装置の駆動電流を示す図、図５は図１に示す光源装置の電極間電圧
の絶対値を示す図、図６は図１に示す光源装置の制御動作を示すフローチャートである。
なお、図２では、副反射鏡の図示は省略されている。
【００１９】
図１に示すように、本実施形態の光源装置１は、放電灯５００を有する光源ユニット１
１０と、放電灯５００を駆動する放電灯駆動装置（駆動装置）２００と、検出器（電圧検
出部）３５とを備えている。放電灯５００は、放電灯駆動装置２００から電力の供給を受
けて放電し、光を放射する。
光源ユニット１１０は、放電灯５００と、凹状の反射面を有する主反射鏡１１２と、出
射光をほぼ平行光にする平行化レンズ１１４とを備えている。主反射鏡１１２と放電灯５
００とは、無機接着剤１１６により接着されている。また、主反射鏡１１２は、放電灯５
００側の面（内面）が反射面となっており、この反射面は、図示の構成では、回転楕円面
をなしている。
【００２０】
なお、主反射鏡１１２の反射面の形状は、前記の形状には限定されず、その他、例えば
、回転放物面等が挙げられる。また、主反射鏡１１２の反射面が回転放物面である場合は
、放電灯５００の発光部を回転放物面のいわゆる焦点に配置すれば、平行化レンズ１１４
を省略することができる。
放電灯５００は、放電灯本体５１０と、凹状の反射面を有する副反射鏡５２０とを備え
ている。放電灯本体５１０と副反射鏡５２０とは、副反射鏡５２０が主反射鏡１１２に向
かい合って配置されると共に、上記凹状の反射面が放電灯本体５１０との間に所定の間隔
をおいて配置されるように無機接着剤５２２により接着されている。また、副反射鏡５２
０は、放電灯５００側の面（内面）が反射面となっており、この反射面は、図示の構成で
は、球面をなしている。
【００２１】
放電灯本体５１０の中央部には、後述の放電媒体が封入され、気密的に密閉された放電
空間（空洞部）５１２を有しており、放電空間（空洞部）５１２を含む発光容器が形成さ
れている。この放電灯本体５１０の少なくとも放電空間５１２に対応する部位は、光透過
性を有している。放電灯本体５１０の構成材料としては、例えば、石英ガラス等のガラス
、光透過性セラミックス等が挙げられる。
この放電灯本体５１０には、１対の電極６１０，７１０と、１対の導電性を有する接続
部材６２０，７２０と、１対の電極端子６３０，７３０とが設けられている。電極（第１
の電極）６１０と電極端子６３０とは、接続部材６２０により電気的に接続されている。
同様に、電極（第２の電極）７１０と電極端子７３０とは、接続部材７２０により電気的
に接続されている。
【００２２】
各電極６１０，７１０は、放電空間５１２に収納されている。すなわち、各電極６１０
，７１０は、その先端部が放電灯本体５１０の放電空間５１２において、互いに所定距離
離間し、互いに対向するように配置されている。
電極６１０と電極７１０との間の最短距離である電極間距離は、後述するプロジェクタ
ーの光源としての利用を考慮すると、点光源に近い発光が得られることが望ましく、１μ
ｍ以上５ｍｍ以下であることが好ましく、０．５ｍｍ以上１．５ｍｍ以下であることがよ
り好ましい。
【００２３】
図２に示すように、前記電極６１０は、芯棒６１２と、コイル部６１４と、本体部６１
６とを有している。この電極６１０は、放電灯本体５１０内への封入前の段階において、
芯棒６１２に電極材（タングステン等）の線材を巻き付けてコイル部６１４を形成し、形
成されたコイル部６１４を加熱・溶融することにより形成される。これにより、電極６１
０の先端側には、熱容量が大きい本体部６１６が形成される。電極７１０も前記電極６１
０と同様に、芯棒７１２と、コイル部７１４と、本体部７１６とを有しており、電極６１
０と同様に形成される。
【００２４】
放電灯５００を１度も点灯させていない状態では、本体部６１６，７１６には、突起６
１８，７１８は形成されていないが、後述する条件で放電灯５００を１度でも点灯させる
と、本体部６１６，７１６の先端部に、それぞれ突起６１８，７１８が形成される。この
突起６１８，７１８は、放電灯５００の点灯中、維持され、また、消灯後も維持される。
なお、各電極６１０，７１０の構成材料としては、例えば、タングステン等の高融点金
属材料等が挙げられる。
【００２５】
また、放電空間５１２には、放電媒体が封入されている。放電媒体は、例えば、放電開
始用ガス、発光に寄与するガス等を含んでいる。また、放電媒体には、その他のガスが含
まれていてもよい。
放電開始用ガスとしては、例えば、ネオン、アルゴン、キセノン等の希ガス等が挙げら
れる。また、発光に寄与するガスとしては、例えば、水銀、ハロゲン化金属の気化物等が
挙げられる。また、その他のガスとしては、例えば、黒化を防止する機能を有するガス等
が挙げられる。黒化を防止する機能を有するガスとしては、例えば、ハロゲン（例えば、
臭素等）、ハロゲン化合物（例えば、臭化水素等）、またはこれらの気化物等が挙げられ
る。
【００２６】
また、放電灯点灯時の放電灯本体５１０内の気圧は、すみやかに放電が開始され安定し
た放電状態が得られること考慮して、０．１ａｔｍ以上３００ａｔｍ以下であることが好
ましく、５０ａｔｍ以上３００ａｔｍ以下であることがより好ましい。
放電灯５００の電極端子６３０，７３０は、それぞれ放電灯駆動装置２００の出力端子
に接続されている。そして、放電灯駆動装置２００は、放電灯５００に高周波数の交流電
流（交流電力）を含む駆動電流（駆動電力）を供給する。具体的には、放電灯駆動装置２
００は、電極端子６３０，７３０を介して電極６１０，７１０に所定の駆動電圧を印加す
る。該所定の駆動電圧は電極６１０および電極７１０の極性が交互に陽極と陰極とに切り
替わるように与えられる。これにより、電極６１０と電極７１０との間に上記の駆動電流
が流れ放電灯５００に電力を供給する。電極６１０，７１０に上記の駆動電流が供給され
ると、放電空間５１２内の１対の電極６１０，７１０の先端部の間でアーク放電（アーク
ＡＲ）が生じ、放電媒体が発光する。アーク放電により発生した光（放電光）は、そのア
ークＡＲの発生位置（放電位置）から全方向に向かって放射される。副反射鏡５２０は、
一方の電極７１０の方向に放射される光を、主反射鏡１１２に向かって反射する。このよ
うに、電極７１０の方向に放射される光を主反射鏡１１２に向かって反射することにより
、電極７１０の方向に放射される光を有効に利用することができる。なお、本実施形態に
おいて、放電灯５００は副反射鏡５２０を備えているが、放電灯５００は副反射鏡５２０
を備えていない構成であってもよい。
【００２７】
次に、放電灯駆動装置２００および検出器３５について図３を参照して説明する。
図３に示すように、放電灯駆動装置２００は、直流電流を発生する直流電流発生器３１
と、直流電流発生器３１から出力された直流電流の正負の極性を切り替える極性切替器３
２と、制御部３３とを備えており、極性切替器３２により直流電流の極性を切り替えて所
定の周波数の交流電流（直流交番電流）を生成し、その交流電流を駆動電流として放電灯
５００の１対の電極６１０，７１０に供給する装置である。なお、直流電流発生器３１、
極性切替器３２および制御部３３により、第１の交流電流供給部および第２の交流電流供
給部が構成される。
【００２８】
制御部３３は、直流電流発生器３１および極性切替器３２等、放電灯駆動装置２００全
体の作動を制御する。直流電流発生器３１は、その出力である電流値を調整し得るもので
あり、制御部３３の制御により、直流電流発生器３１の電流値が調整される。また、制御
部３３の制御により、極性切替器３２における直流電流の極性の切り替えのタイミングが
調整される。
【００２９】
また、放電灯駆動装置２００の出力側（放電灯５００と放電灯駆動装置２００との間）
に別途設けられた後述の検出器（電極間距離検出部）３５の検出結果が、制御部３３に入
力される。なお、本実施形態では、検出器３５は、放電灯駆動装置２００と別に設けられ
ているが、放電灯駆動装置２００に組み込まれる構成であってもよい。また、図示しない
増幅器が、例えば、極性切替器３２の後段、すなわち極性切替器３２と検出器３５との間
等に設けられていてもよい。
【００３０】
本実施形態では、放電灯駆動装置２００は、直流電流発生器３１により直流電流を発生
するとしたが、直流電流発生器３１は直流電圧発生器に置き換えることができ、極性切替
器３２は直流電圧の基準電位に対する正負の極性を切り替える構成とすることができる。
したがって、制御部３３は、極性切替器３２により直流電圧の極性を切り替えて所定の周
波数の交流電圧を生成させる。放電灯駆動装置１００は、その交流電圧を駆動電圧として
放電灯５００の１対の電極６１０，７１０に印加する。これにより、１対の電極６１０，
７１０の間に交流電流が流れ電力が供給される。交流電圧は、言い換えれば電極６１０の
電極７１０に対する相対的な電位が基準電位に対して正と負とに周期的に切り替わってい
ることを指す。本実施形態では、基準電位は例えば０Ｖであり、電極電位が基準電位に対
して正の場合に当該電極は陽極として機能し、電極電位が基準電位に対して負の場合に当
該電極は陰極として機能する。
【００３１】
図４および図５に示すように、この放電灯駆動装置２００では、第１の交流電流（高周
波数の交流電流）を生成して１対の電極６１０，７１０に供給する第１の交流電流供給区
間４１と、第１の交流電流よりも周波数の低い第２の交流電流（低周波数の交流電流）を
生成して１対の電極６１０，７１０に供給する第２の交流電流供給区間４２とが交互に繰
り返されるように、直流電流発生器３１で発生した直流電流の極性を極性切替器３２で切
り替える。すなわち、第１の交流電流供給区間４１と第２の交流電流供給区間４２とを交
互に繰り返してなる放電灯駆動用の駆動電流である交流電流を生成し、出力する。放電灯
駆動装置２００から出力された駆動電流は、放電灯５００の１対の電極６１０，７１０に
供給される。
これにより、前述したように、１対の電極６１０、７１０の先端部の間でアーク放電が
生じ、放電灯５００が点灯する。
なお、前述したように、第１の交流電流（高周波数の交流電流）は、第１の交流電圧（
高周波数の交流電圧）に置き換えることができる。同様に、第２の交流電流（低周波数の
交流電流）は、第２の交流電圧（低周波数の交流電圧）に置き換えることができる。した
がって、第１の交流電流供給区間４１は高周波数である第１の周波数で交流電圧を電極６
１０，７１０に印加する第１の期間に置き換えることができ、第２の交流電流供給区間４
２は低周波数である第２の周波数で交流電圧を電極６１０，７１０に印加する第２の期間
に置き換えることができる。
【００３２】
ここで、この光源装置１では、後述する条件の駆動電流（駆動電圧）を用いて放電灯５
００を点灯するので、その放電灯５００が点灯している際、電極６１０，７１０の温度が
変動し、その変動により、電極６１０，７１０の先端部に、それぞれ突起６１８，７１８
が形成され、その突起６１８，７１８を維持することができる。また、放電灯５００の黒
化を抑制でき、長寿命化を図ることができる。
【００３３】
すなわち、第２の交流電流供給区間（第２の期間）４２では、後述する第２の交流電流
を電極６１０，７１０に供給するので、電極６１０，７１０の先端部に突起６１８，７１
８が形成され、その突起６１８，７１８が大きくなり、これにより、後述する第１の交流
電流供給区間（第１の期間）４１において広がった１対の電極６１０，７１０の電極間距
離を狭くする（減少させる）ことができる。
【００３４】
具体的には、第２の交流電流供給区間（第２の期間）４２において、まず、第２の交流
電流（第２の交流電圧）の極性が正の区間（図４の期間ｂ２で示された区間４４）では、
それぞれ、電極６１０，７１０の温度が高くなることで、電極６１０，７１０の先端部の
一部が、溶融し、その溶融した電極材が表面張力によって電極６１０，７１０の先端部に
集まる。一方、第２の交流電流（第２の交流電圧）の極性が負の区間（図４の期間ａ１の
うち期間ｂ１を除いた区間）では、それぞれ、電極６１０，７１０の温度が低くなること
で、前記溶融した電極材が凝固する。このような溶融した電極材が電極６１０，７１０の
先端部に集まる状態と、前記溶融した電極材が凝固する状態とを繰り返すことで突起６１
８，７１８の成長が起こる。
【００３５】
そして、後述するように、第１の交流電流供給区間（第１の期間）４１と第２の交流電
流供給区間（第２の期間）４２とを切り替えて、電極間距離を所定範囲内に規制すること
により、電極間距離が広がることを抑制することができ、電極間が狭い状態を維持するこ
とができる。これにより、放電灯５００を効率良く駆動することができる。
但し、第２の交流電流供給区間（第２の期間）４２では、電極６１０，７１０の先端部
の一部が溶融し、溶融した電極材が気化して放電灯本体５１０あるいは放電媒体と反応し
て、放電灯５００が黒化するおそれがある。
【００３６】
一方、第１の交流電流供給区間（第１の期間）４１では、後述する第１の交流電流（第
１の交流電圧）を電極６１０，７１０に供給（印加）するので、放電灯５００の黒化を抑
制し、また、第２の交流電流供給区間（第２の期間）４２において黒化した放電灯５００
のその黒化を回復させることができる。
但し、第１の交流電流供給区間（第１の期間）４１では、第２の交流電流供給区間（第
２の期間）４２において電極６１０、７１０の先端部に形成された突起６１８，７１８が
小さくなり、これにより電極間距離が広がってゆくおそれがある。
【００３７】
このような第１の交流電流供給区間（第１の期間）４１と第２の交流電流供給区間（第
２の期間）４２とを交互に繰り返すことにより、放電灯５００の黒化を抑制し、電極間距
離が広がることを抑制して、放電灯５００を駆動することができる。
ここで、放電灯５００の定格電力は、用途等に応じて適宜設定され、特に限定されない
が、１０Ｗ以上５ｋＷ以下であることが好ましく、１００Ｗ以上５００Ｗ以下であること
がより好ましい。
【００３８】
また、第１の交流電流（第１の交流電圧）の周波数（第１の周波数）は、１ｋＨｚより
も大きいことが好ましく、１ｋＨｚよりも大きく１０GＨｚ以下であることがより好まし
く、１ｋＨｚよりも大きく１００ｋＨｚ以下、または、３ＭＨｚ以上１０ＧＨｚ以下であ
ることがさらに好ましく、３ｋＨｚ以上１００ｋＨｚ以下、または、３ＭＨｚ以上３ＧＨ
ｚ以下であることが特に好ましく、１０ｋＨｚ以上１００ｋＨｚ以下、または、３ＭＨｚ
以上３ＧＨｚ以下であることが最も好ましい。そして、さらに言えば、第１の交流電流の
周波数は、３ｋＨｚ以上１００ｋＨｚ以下であることが好ましく、１０ｋＨｚ以上１００
ｋＨｚ以下であることがより好ましい。
【００３９】
電極６１０，７１０が陽極として動作するときは、それぞれ、陰極として動作するとき
に比べて電極温度が高くなるが、第１の交流電流（第１の交流電圧）の第１の周波数を１
ｋＨｚよりも大きく設定することにより、その第１の交流電流（第１の交流電圧）の１周
期内における電極温度の変動を防止することができ、放電灯５００の黒化を抑制し、また
、第２の交流電流供給区間（第２の期間）４２において黒化した放電灯５００のその黒化
を回復させることができる。
【００４０】
しかし、第１の交流電流（第１の交流電圧）の第１の周波数が１ｋＨｚ以下であると、
他の条件によっては、その第１の交流電流（第１の交流電圧）の１周期毎に、電極６１０
，７１０の温度が変動し、放電灯５００が黒化する。
また、第１の交流電流（第１の交流電圧）の第１の周波数が１０GＨｚよりも大きいも
のは、コストが高くなる。
また、第１の交流電流（第１の交流電圧）の第１の周波数が１００ｋＨｚよりも大きく
、３ＭＨｚよりも小さいと、他の条件によっては、音響共鳴効果により放電が不安定とな
る。
【００４１】
第２の交流電流（第２の交流電圧）の第２の周波数は、１ｋＨｚ以下であることが好ま
しく、５００Ｈｚ以下であることがより好ましく、１０Ｈｚ以上５００Ｈｚ以下であるこ
とがさらに好ましく、３０Ｈｚ以上３００Ｈｚ以下であることが特に好ましい。
第２の交流電流（第２の交流電圧）の第２の周波数が前記上限値を超えると、他の条件
によっては、突起６１８，７１８が形成されない。また、第２の交流電流（第２の交流電
圧）の第２の周波数が前記下限値よりも小さいと、他の条件によっては、突起６１８，７
１８が溶解して潰れてしまい、また、黒化がより生じ易くなる。
【００４２】
また、第１の交流電流供給区間（第１の期間）４１では、第１の交流電流（第１の交流
電圧）の第１の周波数は、一定であり、また、第２の交流電流供給区間（第２の期間）４
２では、第２の交流電流（第２の交流電圧）の第２の周波数は、一定である。なお、これ
に限らず、第１の交流電流供給区間（第１の期間）４１において、第１の交流電流（第１
の交流電圧）の第１の周波数を変更可能に構成してもよい。すなわち、第１の交流電流（
第１の交流電圧）の第１の周波数を経時的に変化させてもよい。
これにより、より精細な制御を行うことができる。また、第２の交流電流供給区間（第
２の期間）４２において、第２の交流電流（第２の交流電圧）の第２の周波数を変更可能
に構成してもよい。すなわち、第２の交流電流（第２の交流電圧）の第２の周波数を経時
的に変化させてもよい。これにより、より精細な制御を行うことができる。
【００４３】
また、第１の交流電流供給区間（第１の期間）４１の長さは、第２の交流電流供給区間
（第２の期間）４２の長さよりも長いことが好ましい。この場合、第１の交流電流供給区
間（第１の期間）４１の長さをＡ、第２の交流電流供給区間（第２の期間）４２の長さを
Ｂとしたとき、Ａ／Ｂは、１より大きくに設定されていることが好ましい。さらにＡ／Ｂ
は、１より大きく５０以下に設定されていることがより好ましく、２以上５０以下に設定
されていることがより好ましく、２以上５以下に設定されていることがさらに好ましい。
これにより、放電灯５００の黒化の抑制と、電極間距離が広がることを抑制することの
両立を図ることができる。
【００４４】
なお、第２の交流電流供給区間（第２の期間）４２の長さＢが第１の交流電流供給区間
（第１の期間）４１の長さＡよりも長くてもよく、また、第１の交流電流供給区間（第１
の期間）４１の長さＡと第２の交流電流供給区間（第２の期間）４２の長さＢとが同じで
あってもよい。
また、長さＡは、１０分以上３時間以下であることが好ましく、１０分以上１時間以下
であることがより好ましい。これにより、より確実に、放電灯５００の黒化を抑制し、第
２の交流電流供給区間（第２の期間）４２において黒化した放電灯５００のその黒化を回
復させることができる。
【００４５】
また、長さＢは、１分以上６０分以下であることが好ましく、１分以上１０分以下であ
ることがより好ましい。これにより、より確実に、電極間距離が広がることを抑制するこ
とができる。
また、第１の交流電流供給区間（第１の期間）４１においては、第１の交流電流（第１
の交流電圧）を減少させる。すなわち、第１の交流電流供給区間（第１の期間）４１では
、突起６１８，７１８が小さくなり、電極間距離が増大して、電極間電圧（電極間電圧の
絶対値）が増大するので、放電灯５００に供給する電力が一定になるように、第１の交流
電流（第１の交流電圧）を減少させる。これにより、光量を一定にすることができる。
【００４６】
逆に、第２の交流電流供給区間（第２の期間）４２においては、第２の交流電流（第２
の交流電圧）を増大させる。すなわち、第２の交流電流供給区間（第２の期間）４２では
、突起６１８，７１８が大きくなり、電極間距離が減少して、電極間電圧（電極間電圧の
絶対値）が減少するので、放電灯５００に供給する電力が一定になるように、第２の交流
電流（第２の交流電圧）を増大させる。これにより、光量を一定にすることができる。
【００４７】
また、第１の交流電流（第１の交流電圧）および第２の交流電流（第２の交流電圧）の
波形は、それぞれ、矩形状（矩形波）をなしている。これにより、より確実に、放電灯５
００の黒化を抑制することができる。
なお、第１の交流電流（第１の交流電圧）および第２の交流電流（第２の交流電圧）の
波形は、それぞれ、矩形状に限定されず、例えば、波状等であってもよい。
また、第１の交流電流（第１の交流電圧）の周期をａ１、区間４３の期間をｂ１したと
き、その周期ａ１と期間ｂ１の比ｂ１／ａ１（デューティー比）は、１０％以上９０％以
下であることが好ましく、２０％以上８０％以下であることがより好ましく、５０％であ
ることがさらに好ましい。
【００４８】
また、第２の交流電流（第２の交流電圧）の周期をａ２、区間４４の期間をｂ２したと
き、その周期ａ２と期間ｂ２の比ｂ１／ａ２（デューティー比）は、１０％以上９０％以
下であることが好ましく、２０％以上８０％以下であることがより好ましく、５０％であ
ることがさらに好ましい。これにより、電極６１０，７１０に、互いに対称に突起６１８
，７１８を形成することができる。
【００４９】
また、第１の交流電流供給区間（第１の期間）４１における光量と、第２の交流電流供
給区間（第２の期間）４２における光量とを同じにする場合は、第１の交流電流供給区間
（第１の期間）４１での第１の交流電流（第１の交流電圧）の大きさの平均値と、第２の
交流電流供給区間（第２の期間）４２での第２の交流電流（第２の交流電圧）の大きさの
平均値とは、同じ値に設定される。
なお、交流電流（交流電圧）の大きさとは、基準電位に対して極性が正に振れた電流（
電位）の最大値の絶対値、あるいは極性が負に振れた電流（電位）の最大値の絶対値で示
される。
また、光源装置１の検出器３５としては、本実施形態では、電圧計を用いる。そして、
その検出器３５により、放電灯５００の１対の電極６１０，７１０の電極間電圧を検出し
、後述するように、検出された電極間電圧を放電灯５００の駆動制御に利用する。この電
極間電圧は、電極間距離に対応する値である。したがって、前記電極間電圧を求めること
により、電極間距離を間接的に求めたこととなる。なお、電極間電圧が大きいほど、電極
間距離が長い。また、本実施形態では、電圧計で電極間電圧を測定するので、駆動電流（
駆動電圧）の周波数、すなわち、第１の交流電流（第１の交流電圧）の第１の周波数が、
１ＭＨｚ未満の場合に適用することが好ましい。
【００５０】
この光源装置１では、前記検出器３５により、１対の電極６１０，７１０の電極間電圧
を検出し、その検出された電極間電圧は、制御部３３に送出される。図５に示すように、
制御部３３は、検出器３５の検出結果、すなわち、検出された電極間電圧に応じて、第１
の交流電流供給区間（第１の期間）４１と、第２の交流電流供給区間（第２の期間）４２
とを切り替える。すなわち、電極間電圧の絶対値が許容範囲の上限値（本発明の第２の値
の一例）になると、第１の交流電流供給区間（第１の期間）４１から第２の交流電流供給
区間（第２の期間）４２に変更し、交流電流（交流電圧）の周波数を減少させ、その第１
交流電流（第１の交流電圧）に対して周波数を減少させてなる第２の交流電流（第２の交
流電圧）を１対の電極６１０，７１０に供給する。また、電極間電圧の絶対値が許容範囲
の下限値（本発明の第１の値または第３の値の一例）になると、第２の交流電流供給区間
（第２の期間）４２から第１の交流電流供給区間（第１の期間）４１に変更し、交流電流
（交流電圧）の周波数を増大させ、その第２の交流電流（第２の交流電圧）に対して周波
数を増大させてなる第１の交流電流（第１の交流電圧）を１対の電極６１０，７１０に供
給する。
これにより、電極間距離を所定の許容範囲内に制限することができる。
【００５１】
また、電極間電圧の絶対値の許容範囲の上限値および下限値は、特に限定されず、諸条
件に応じて適宜設定されるが、その上限値と下限値との差は、１５Ｖ以下であることが好
ましく、１Ｖ以上１０Ｖ以下であることがより好ましく、１Ｖ以上５Ｖ以下であることが
さらに好ましい。これにより、光量を一定にすることができる。
また、電極間電圧の絶対値の許容範囲の上限値は、２ｍＶ以上５００Ｖ以下であること
が好ましく、１Ｖ以上２５０Ｖ以下であることがより好ましい。
【００５２】
また、電極間電圧の絶対値の許容範囲の下限値は、１ｍＶ以上５００Ｖ以下であること
が好ましく、１Ｖ以上２５０Ｖ以下であることがより好ましい。
また、電極間電圧の絶対値の許容範囲の上限値および下限値は、それぞれ、放電灯５０
０の点灯時間に応じて調整することが好ましい。すなわち、放電灯５００の点灯時間が長
いほど、突起６１８，７１８が延び難くなるので、放電灯５００の点灯時間が長いほど、
電極間電圧の絶対値の許容範囲の上限値および下限値をそれぞれ増大させる。これにより
、より確実に、電極間距離が広がることを抑制することができる。
【００５３】
次に、図６を参照して、光源装置１の放電灯駆動装置２００の制御動作について説明す
る。
まず、第１の交流電流供給区間（第１の期間）４１に設定し、第２の交流電流（第２の
交流電圧）に対して周波数を増大させてなる第１の交流電流（第１の交流電圧）を１対の
電極６１０，７１０に供給（印加）し、放電灯５００を点灯する（ステップＳ１０１）。
従って、突起６１８，７１８は、小さくなってゆき、電極間電圧は、漸増する。なお、前
述したように、第１の交流電流（第１の交流電圧）は、供給する電力が一定になるように
漸減させる。つまり、電極間電圧が下限値から上限値に上昇している第１の期間には、１
対の電極６１０，７１０に第１の周波数で駆動電圧が印加される。
【００５４】
次いで、電極間電圧を検出し（ステップＳ１０２）、検出された電極間電圧の絶対値が
許容範囲の上限値に達したか否かを判定する（ステップＳ１０３）。
ステップＳ１０３において、電極間電圧の絶対値が上限値よりも小さい場合には、ステ
ップＳ１０２に戻り、再度、ステップＳ１０２以降を実行する。
また、ステップＳ１０３において、電極間電圧の絶対値が上限値に達した場合は、第１
交流電流（第１の交流電圧）に対して周波数を減少させてなる第２の交流電流供給区間（
第２の期間）４２に設定し、第２の交流電流（第２の交流電圧）を１対の電極６１０，７
１０に供給（印加）する（ステップＳ１０４）。従って、突起６１８，７１８は、大きく
なってゆき、電極間電圧は、漸減する。なお、前述したように、第２の交流電流（第２の
交流電圧）は、供給する電力が一定になるように漸増させる。つまり、電極間電圧が上限
値から下限値に下降している第２の期間には、１対の電極６１０，７１０に第２の周波数
で駆動電圧が印加される。
【００５５】
次いで、電極間電圧を検出し（ステップＳ１０５）、検出された電極間電圧の絶対値が
許容範囲の下限値に達したか否かを判定する（ステップＳ１０６）。
ステップＳ１０６において、電極間電圧の絶対値が下限値よりも大きい場合には、ステ
ップＳ１０５に戻り、再度、ステップＳ１０５以降を実行する。
また、ステップＳ１０６において、電極間電圧の絶対値が下限値に達した場合は、ステ
ップＳ１０１に戻り、再度、ステップＳ１０１以降を実行する。これにより、電極間電圧
の絶対値が許容範囲内に保持され、電極間距離は、許容範囲内に保持される。
【００５６】
以上説明したように、この光源装置１によれば、放電灯５００の黒化を抑制し、長寿命
化を図ることができる。また、電極６１０，７１０に突起６１８，７１８が形成され、電
極間距離が広がることを抑制することができ、放電灯５００を効率良く駆動することがで
きる。
以上、本発明の光源装置および放電灯の駆動方法を、図示の実施形態に基づいて説明し
たが、本発明はこれに限定されるものではなく、各部の構成は、同様の機能を有する任意
の構成のものに置換することができる。また、本発明に、他の任意の構成物が付加されて
いてもよい。
【００５７】
＜プロジェクター＞
図７は、本発明のプロジェクターの実施形態を摸式的に示す図である。
図７に示すプロジェクター３００は、前述した光源装置１と、インテグレータレンズ３
０２および３０３を有する照明光学系と、色分離光学系（導光光学系）と、赤色に対応し
た（赤色用の）液晶ライトバルブ８４と、緑色に対応した（緑色用の）液晶ライトバルブ
８５と、青色に対応した（青色用の）液晶ライトバルブ８６と、赤色光のみを反射するダ
イクロイックミラー面８１１および青色光のみを反射するダイクロイックミラー面８１２
が形成されたダイクロイックプリズム（色合成光学系）８１と、投射レンズ（投射光学系
）８２とを備えている。
【００５８】
色分離光学系は、ミラー３０４，３０６，３０９、青色光および緑色光を反射する（赤
色光のみを透過する）ダイクロイックミラー３０５、緑色光のみを反射するダイクロイッ
クミラー３０７、青色光のみを反射するダイクロイックミラー３０８、集光レンズ３１０
，３１１，３１２，３１３，３１４を有している。
液晶ライトバルブ８５は、液晶パネル１６と、液晶パネル１６の入射面側に接合された
第１の偏光板（図示せず）と、液晶パネル１６の出射面側に接合された第２の偏光板（図
示せず）とを有している。液晶ライトバルブ８４，８６も、液晶ライトバルブ８５と同様
の構成をなしている。これら液晶ライトバルブ８４，８５，８６の各液晶パネル１６は、
それぞれ、図示しない駆動回路にそれぞれ接続されている。
なお、このプロジェクター３００では、液晶ライトバルブ８４，８５，８６および駆動
回路により、光源装置１から出射した光を画像情報に基づいて変調する変調装置の主要部
が構成され、投射レンズ８２により、その変調装置により変調された光を投射する投射装
置の主要部が構成される。
【００５９】
次に、プロジェクター３００の作用を説明する。
まず、光源装置１から出射した白色光（白色光束）は、インテグレータレンズ３０２お
よび３０３を透過する。この白色光の光強度（輝度分布）は、インテグレータレンズ３０
２および３０３により均一化される。
インテグレータレンズ３０２および３０３を透過した白色光は、ミラー３０４で図７中
左側に反射し、その反射光のうちの青色光（Ｂ）および緑色光（Ｇ）は、それぞれダイク
ロイックミラー３０５で図７中下側に反射し、赤色光（Ｒ）は、ダイクロイックミラー３
０５を透過する。
【００６０】
ダイクロイックミラー３０５を透過した赤色光は、ミラー３０６で図７中下側に反射し
、その反射光は、集光レンズ３１０により整形され、赤色用の液晶ライトバルブ８４に入
射する。
ダイクロイックミラー３０５で反射した青色光および緑色光のうちの緑色光は、ダイク
ロイックミラー３０７で図７中左側に反射し、青色光は、ダイクロイックミラー３０７を
透過する。
【００６１】
ダイクロイックミラー３０７で反射した緑色光は、集光レンズ３１１により整形され、
緑色用の液晶ライトバルブ８５に入射する。
また、ダイクロイックミラー３０７を透過した青色光は、ダイクロイックミラー３０８
で図７中左側に反射し、その反射光は、ミラー３０９で図７中上側に反射する。前記青色
光は、集光レンズ３１２，３１３，３１４により整形され、青色用の液晶ライトバルブ８
６に入射する。
【００６２】
このように、光源装置１から出射した白色光は、色分離光学系により、赤色、緑色およ
び青色の三原色に色分離され、それぞれ、対応する液晶ライトバルブ８４，８５，８６に
導かれ、入射する。
この際、液晶ライトバルブ８４の液晶パネル１６の各画素は、赤色用の画像信号に基づ
いて作動する駆動回路により、スイッチング制御（オン／オフ）され、また、液晶ライト
バルブ８５の液晶パネル１６の各画素は、緑色用の画像信号に基づいて作動する駆動回路
により、スイッチング制御され、また、液晶ライトバルブ８６の液晶パネル１６の各画素
は、青色用の画像信号に基づいて作動する駆動回路により、スイッチング制御される。
これにより、赤色光、緑色光および青色光は、それぞれ、液晶ライトバルブ８４，８５
，８６で変調され、赤色用の画像、緑色用の画像および青色用の画像がそれぞれ形成され
る。
【００６３】
前記液晶ライトバルブ８４により形成された赤色用の画像、すなわち液晶ライトバルブ
８４からの赤色光は、入射面８１３からダイクロイックプリズム８１に入射し、ダイクロ
イックミラー面８１１で図７中左側に反射し、ダイクロイックミラー面８１２を透過して
、出射面８１６から出射する。
また、前記液晶ライトバルブ８５により形成された緑色用の画像、すなわち液晶ライト
バルブ８５からの緑色光は、入射面８１４からダイクロイックプリズム８１に入射し、ダ
イクロイックミラー面８１１および８１２をそれぞれ透過して、出射面８１６から出射す
る。
【００６４】
また、前記液晶ライトバルブ８６により形成された青色用の画像、すなわち液晶ライト
バルブ８６からの青色光は、入射面８１５からダイクロイックプリズム８１に入射し、ダ
イクロイックミラー面８１２で図７中左側に反射し、ダイクロイックミラー面８１１を透
過して、出射面８１６から出射する。
このように、前記液晶ライトバルブ８４，８５，８６からの各色の光、すなわち液晶ラ
イトバルブ８４，８５，８６により形成された各画像は、ダイクロイックプリズム８１に
より合成され、これによりカラー画像が形成される。この画像は、投射レンズ８２により
、所定の位置に設置されているスクリーン３２０上に投影（拡大投射）される。
以上説明したように、このプロジェクター３００によれば、前述した光源装置１を有し
ているので、消費電力を低減でき、また、安定した良好な画像を表示することができる。
【００６５】
次に、本発明の具体的な実施例及び比較例について説明する。
（実施例１）
図１に示され、前述した第１の交流電流（第１の交流電圧）を１対の電極６１０，７１
０に供給する第１の交流電流供給区間（第１の期間）４１と第２の交流電流（第２の交流
電圧）を１対の電極６１０，７１０に供給する第２の交流電流供給区間（第２の期間）と
を交互に繰り返すよう構成された下記の構成の光源装置１を作成した。
【００６６】
放電灯本体５１０の構成材料：石英ガラス
放電灯本体５１０内の封入物：アルゴン、水銀、臭素メチル
放電灯本体５１０内の点灯時の気圧：２００ａｔｍ
電極６１０，７１０の構成材料：タングステン
電極間距離：１．１ｍｍ
定格電力：２００Ｗ
第１の交流電流（第１の交流電圧）の第１の周波数：５ｋＨｚ
第１の交流電流（第１の交流電圧）のデューティー比（ｂ１／ａ１）：５０％
第１の交流電流（第１の交流電圧）の波形：矩形状
第２の交流電流（第２の交流電圧）の第２の周波数：１３５Ｈｚ
第２の交流電流（第２の交流電圧）のデューティー比（ｂ２／ａ２）：５０％
第２の交流電流（第２の交流電圧）の波形：矩形状
駆動電流（駆動電圧）の平均値：２．９Ａ
電極間電圧の絶対値の下限値：６６．５Ｖ
電極間電圧の絶対値の上限値：７１．５Ｖ
【００６７】
（比較例１）
比較例１は、駆動電流（駆動電圧）として、周波数が１３５Ｈｚ、デューティー比が５
０％であり、波形が矩形状をなす交流電流（交流電圧）を用いた以外は、前記実施例１と
同様の光源装置を作成した。
（比較例２）
比較例２は、駆動電流（駆動電圧）として、周波数が５ｋＨｚ、デューティー比が５０
％であり、波形が矩形状をなす交流電流（交流電圧）を用いた以外は、前記実施例１と同
様の光源装置を作成した。
【００６８】
（比較例３）
比較例３は、前記実施例１とは逆に、電極間電圧の絶対値が下限値になると、周波数を
減少させ、第２の交流電流（第２の交流電圧）を１対の電極に供給する第２の交流電流供
給区間とし、電極間電圧の絶対値が上限値になると、周波数を増大させ、第１の交流電流
（第１の交流電圧）を１対の電極に供給する第１の交流電流供給区間とし、また、条件を
下記のように変更した以外は、前記実施例１と同様の光源装置を作成した。
【００６９】
なお、第１の交流電流供給区間での第１の交流電流（第１の交流電圧）の周波数は、突
起が成長し、電極間距離が減少してゆく条件に設定し、また、第２の交流電流供給区間で
の第２の交流電流（第２の交流電圧）の周波数は、突起が溶解し、電極間距離が増大して
ゆく条件に設定した。
第１の交流電流（第１の交流電圧）の周波数：１３５ｋＨｚ
第２の交流電流（第２の交流電圧）の周波数：５０Ｈｚ
【００７０】
［評価］
実施例１、比較例１〜３に対し、それぞれ、下記のようにして各評価を行った。その結
果は、下記表１に示す通りである。
（突起（電極間距離））の評価は、放電灯を点灯させ、点灯開始から５００時間まで、
１対の電極の電極間距離の変動を観察した。
評価基準は、点灯開始時の電極間距離に対して、電極間距離の変動がまったくない場合
を「○」、電極間距離の変動が１０％以内の場合を「△」、電極間距離の変動が１０％を
超える場合を「×」とした。
【００７１】
（耐黒化性）の評価は、放電灯を点灯させ、点灯開始から５００時間後に電源をｏｆｆ
し、そのときの放電灯の赤熱状態を観察した。
評価基準は、放電灯に赤熱がない場合を「○」、放電灯に赤熱がある場合を「×」とし
た。
【００７２】
【表１】
2013062233.tif 000003
【００７３】
上記表１から明らかなように、実施例１では、電極６１０，７１０の先端に確実に突起
６１８，７１８が形成され、電極間距離の変動がまったくなく、また、黒化は発生せず、
良好な結果が得られた。
これに対し、比較例１〜３では、満足な結果は得られなかった。
【符号の説明】
【００７４】
１…光源装置、３１…直流電流発生器、３２…極性切替器、３３…制御部、３５…検出
器、４１…第１の交流電流供給区間（第１の期間）、４２…第２の交流電流供給区間（第
２の期間）、４３、４４…区間、１１０…光源ユニット、１１２…主反射鏡、１１４…平
行化レンズ、１１６…無機接着剤、２００…放電灯駆動装置、５００…放電灯、５１０…
放電灯本体、５１２…放電空間（空洞部）、５２０…副反射鏡、５２２…無機接着剤、６
１０，７１０…電極、６１２，７１２…芯棒、６１４，７１４…コイル部、６１６，７１
６…本体部、６１８，７１８…突起、６２０，７２０…接続部材、６３０，７３０…電極
端子、１６…液晶パネル、８１…ダイクロイックプリズム、８１１，８１２…ダイクロイ
ックミラー面、８１３〜８１５…入射面、８１６…出射面、８２…投射レンズ、８４〜８
６…液晶ライトバルブ、３００…プロジェクター、３０２，３０３…インテグレータレン
ズ、３０４，３０６，３０９…ミラー、３０５，３０７，３０８…ダイクロイックミラー
、３１０〜３１４…集光レンズ、３２０…スクリーン、Ｓ１０１〜Ｓ１０６…ステップ。
【図１】
2013062233.tif 000004
【図２】
2013062233.tif 000005
【図３】
2013062233.tif 000006
【図４】
2013062233.tif 000007
【図５】
2013062233.tif 000008
【図６】
2013062233.tif 000009
【図７】
2013062233.tif 000010